(57)【要約】室内に設けられたテーブルで様々な角度の打球とクッションによってカーリングスポーツを楽しめるカーリングゲーム装置に係り、本体１、本体１の上部に四角形状に設けられたカーリングテーブル１００、剛体として正球面の形態で形成されて前記カーリングテーブル１００の上で移動するカーリングボール１０を含み、前記カーリングテーブル１００は本体１の上端の底面及び周りに沿って設けられた床板台２、前記床板台２の内側に設けられた複数のクッション台３、前記床板台２の表面に水平に設けられた床板表面部４を含み、前記床板表面部４には前記カーリングボール１０を打球するための少なくても一つ以上の打球ライン４ａと、前記カーリングボール１０が前記打球ライン４ａで打撃によって出発して移動して到逹するための少なくても一つ以上の標的６が設けられ、前記標的６は複数の円の重なりまたは複数の多角形の重なりによって形成され、前記打球ライン４ａで打撃された前記カーリングボール１０の打撃点１０Ｃが重心と回転機軸になって回転しながら前記クッション台３によって反射されて前記標的６まで移動することによって、前記カーリングボール１０の移動距離が前記カーリングテーブル１００の長さよりもっと長い移動距離を移動する構成を設け、カーリングテーブルの上で実際のカーリング競技と同一な競技をすることがができる。
2021515651.tif 000002
【特許請求の範囲】
【請求項１】
テーブル上でカーリング競技を実行することができるカーリングゲーム装置であって、
本体１、前記本体１の上部に四角形状に設けられたカーリングテーブル１００、剛体として正球面の形態に形成され、前記カーリングテーブル１００の上で移動するカーリングボール１０を含み、
前記カーリングテーブル１００は、本体１の上端の底面及び周りに沿って設けられた床板台２、前記床板台２の内側に設けられた複数のクッション台３、前記床板台２の表面に水平に設けられた床板表面部４を含み、
前記床板表面部４には、前記カーリングボール１０を打球するための少なくても一つ以上の打球ライン４ａと、前記カーリングボール１０が前記打球ライン４ａで打撃によって出発し、移動して到逹するための少なくても一つ以上の標的６が設けられ、
前記標的６は複数の円の重なり、または複数の多角形の重なりで形成され、
前記打球ライン４ａで打撃された前記カーリングボール１０の打撃点１０Ｃが重心と回転機軸になって回転しながら前記クッション台３によって反射され、前記標的６まで移動することによって前記カーリングボール１０の移動距離が前記カーリングテーブル１００の長さよりもっと長い移動距離を移動することを特徴とするカーリングゲーム装置。
【請求項２】
前記クッション台３から床板表面部４の中央部分まで延ばして設けられた中間クッション台５をさらに含み、
前記中間クッション台５の両面はクッション機能を備えたことを特徴とする請求項１に記載のカーリングゲーム装置。
【請求項３】
前記カーリングテーブル１００は「┐」の字型からなることを特徴とする請求項１に記載のカーリングゲーム装置。
【請求項４】
前記標的６は前クッション台３ｂと後クッション台３ｄの間に設けられ、
前記打球ライン４ａは前記標的６と後クッション台３ｄの間に設けられることを特徴とする請求項１に記載のカーリングゲーム装置。
【請求項５】
前記カーリングテーブル１００の大きさは、前記カーリングテーブル１００の幅と長さが１：４未満となり、
前記幅と、前記打球ライン４ａから前記複数のクッション台３を経て前記標的６へ移動するカーリングボール１０の総移動距離の割合が１：６以上１：１０未満になることを特徴とする請求項１に記載のカーリングゲーム装置。
【請求項６】
前記標的６は標的投光装置６０１によって形成され、
前記標的投光装置６０１は、光源６０２、前記光源６０２の下端に設けられた集光レンズ６０３、前記集光レンズ６０３によって集められた光が透過して前記標的６のような形状で標的形状板６０４、前記標的形状板６０４を透過した光の焦点距離を調整する投射レンズ６０５を含むことを特徴とする請求項１〜５のいずれか一項に記載のカーリングゲーム装置。
【請求項７】
前記標的６の中心には、前記カーリングボール１０が引込む標的ホール６ａが設けられたことを特徴とする請求項１〜５のいずれか一項に記載のカーリングゲーム装置。
【発明の詳細な説明】
【技術分野】
【０００１】
本発明は、テーブルでカーリング競技を楽しめるカーリングゲーム装置に係り、特に室内に設けられたテーブルで様々な角度の打球とクッションでカーリングスポーツを楽しめるカーリングゲーム装置に関する。
【背景技術】
【０００２】
一般に、カーリングは２チームがカーリングストーンをカーリングシーツ（ｃｕｒｌｉｎｇ  ｓｈｅｅｔ）と呼ぶ長方形の氷上に滑らせ、決まった標的の上にどれほど正確に位置させたのかによって勝敗を決める冬季スポーツであって、カーリングは各４人で構成された２チームの間に行われる。
【０００３】
カーリング競技はスコットランドで発祥した競技で１６世紀頃に盛んだと言う。初期は石を使い、１８００年代は石の代わりに鉄を使ったこともあるが、現在は重さ２０ｋｇ以下、まわり９１４ｃｍ以下、高さ１１４ｃｍのストーン（石）を使っている。
【０００４】
前記カーリング競技は、１チーム４人ずつ２グループで形成して幅４．７２〜５ｍ、長さ４２．０７〜４５．７２ｍ、幅と長さの割合が１：９で一方が非常に長くて広いリンク（氷板）の上でハウスと言う円の中心の標的に２つの石を相手チームと交互に滑らせ、どちらが標的に近づけたのかによって点数で勝敗を競う冬季スポーツである。
【０００５】
このようなカーリング競技は所望の位置にカーリングストーンを止めるドロー（Ｄｒｏｗ）攻撃と、相手のカーリングストーンをはじき出して自分のカーリングストーンを止めるテイクアウト（ｔａｋｅ  ｏｕｔ）攻撃法などで１９．９６ｋｇ、まわり９１．４４ｃｍの楕円形カーリングストーンを氷上で交互に滑らせ、最終的に直径３．６５８ｍのハウス標的の中心に最も近づけたチームが得点する競技である。
【０００６】
しかし、カーリング競技は広くて長い空間と氷板が必要であるため、場所的制限、氷の維持など幾つかの障害的要因で大衆スポーツとして限界があった。
【０００７】
また、カーリング競技を大衆化するためにカーリングテーブルの形態で構成する場合、幅と長さの割合が１：９と類似する、長いカーリングテーブルが構成されなければならないので、事実上室内に数台も設置することが難しく、特定形態のものを室内のみで設置することができる。
【０００８】
このような技術の一例が下記文献１ないし３などで開示されている。
【０００９】
例えば、下記特許文献１には、下端部に格子型で複数の感知センサーを備えたマットで構成され、感知センサーが供給部からパッティングされたゴルフボールを感知する第１感知部、端部中心を基準にして円形に配置された複数の感知センサーを備えたマットで構成され、感知センサーが第１感知部を通って移動したゴルフボールを感知する場合、ゴルフボールを最後に感知した感知センサーのＩＤを第２送信部を通じて制御部に伝送する第２感知部、第１感知部から受信した感知センサーのＩＤと対応する座標変化の推移を線形化してゴルフボールの軌跡情報を生成し、第２感知部から受信した感知センサーのＩＤと対応するように既設定された点数を出力する点数情報を生成する制御部、及び制御部から受信したゴルフボールの軌跡情報及び点数情報をディスプレイするディスプレイ部を含むパッティングを利用したカーリングゲーム装置について開示されている。
【００１０】
また、下記特許文献２には、チップの強弱を調節しながら前方に投げるシューター、前記シューターで投げられたチップが滑って移動するが、少なくとも一つ以上の標的が形成された移動路、及び前記移動路の側方にチップを回収するためのチップ回収手段を構成し、前記移動路にはエアボールを形成してエアコムプレッシャーによって前記エアボールに吐出されるエアによってチップが浮び上がって、滑って移動するように構成して前記移動路に投げられたチップが標的位置に入るか否かによってゲームの勝敗を決めるように作られたカーリングゲーム機について開示されている。
【００１１】
一方、下記特許文献３には、水平支持台、水平支持台上に設けられた平坦なゲームボード、作動フレーム、作動フレームの動きをピボッティングするピボッティング手段を設け、長いテーブルの上でカーリング競技を行うミニチュアゲーム機について開示されている。
【先行技術文献】
【特許文献】
【００１２】
【特許文献１】韓国公開実用新案公報第２０１５-０００３６２６号（２０１５年１０月０６日公開）
【特許文献２】韓国登録特許公報第１０-１５８６６８５号（２０１６年０１月１３日登録）
【特許文献３】米国特許公報ＵＳ３，２３９，２２６号（１９６６年０３月０８日公告）
【発明の概要】
【発明が解決しようとする課題】
【００１３】
上述したような特許文献に開示されている技術でカーリング競技は室内で適用しがたく、カーリングストーンの移動速度と方向を調整するほうきのブローム調整が カーリングテーブルの上では実際不可能なので、競技内容自体が非常に単調になる。
【００１４】
前記特許文献１には、スクリーン形態でシミューレーター化する方法も提示されているが、現実感が落ち、決まった形態と状況がコンピューターによって制御されるので、スポーツの重要要素である様々な競技方法が創出されない問題があった。
【００１５】
また、前記特許文献２に開示されている技術では、傾いたスタートラインでカーリングボールを転がす構造が開示されているが、これは落ちる落下地点を選択すること以外に特別な攻撃方法がないので、攻撃と守備方法が単純という問題があった。
【００１６】
また、前記特許文献３に開示されているカーリングテーブル構造は単純に長いテーブル上でする競技で、このようなカーリングテーブルの形態は室内に設置することに制限がある問題もあった。また、使用するボールの形態が親指でボールを収容するために凹んだ陷沒部で構成した不完全な球形を使うので、ボールの回転方向が左右水平方向の一方向のみに回転可能なので攻撃方式が単調である。
【００１７】
また、上述した特許文献などに開示されている技術では、カーリングテーブルの一面に構成されるクッションレールも単純にボールが外郭へ離脱することを防ぐ遮壁に過ぎないため、移動するボールの運動衝撃を吸収し、ボールの加速力を落として運動力を停止させるという問題もあった。
【００１８】
このように、従来のテーブル型構造は上述したように競技方式が単調で一方向に長くて設置面積を過度に占めて、様々な形態の室内空間への設置制限をもたらすなど、大衆スポーツ競技として活性化するに困難であるという問題があった。
【００１９】
一方、既存のカーリングストーンは、楕円形または完全球状ではない形態なので、一方向の回転運動のみする。したがって、クッションによって反射角が左・右方向のみに単純に作用するので、ラインを脱しないようにする遮壁の役目をするだけで、攻撃と防御手段も非常に単調である。
【００２０】
よって、様々で創意的攻撃法と守備方法が可能で、様々な形態の構造を持ちながら室内に設置できるように、小さな規模でカーリング競技の特性上、長い移動距離を持つ新しい室内カーリングテーブル用カーリング装置が必要となった。
【００２１】
本発明の目的は、上述した問題点を解決するために、様々な形態の室内空間で複数個を設置できるよう、長さの短い長方形規模のカーリングテーブル構造を備えたカーリングゲーム装置を提供することである。
【００２２】
本発明の別の目的は、通常のカーリング競技のように移動距離が長いカーリングテーブルの機能を備え、多角的且つ創意的で、様々な攻撃と守備方法が可能な競技運営方式を実現できるカーリングゲーム装置を提供することである。
【００２３】
本発明のまた別の目的は、カーリングテーブルの長さと幅、カーリングボールの構造、カーリングボールの移動方法、カーリングボールの移動距離、カーリングボールが移動しやすいテーブルの表面、クッション台の構成、打球ラインの構成と位置、標的の構成方法と位置などを新しく提示してカーリング競技を行うことができるカーリングゲーム装置を提供することである。
【課題を解決するための手段】
【００２４】
前記目的を達成するために、本発明によるカーリングゲーム装置はテーブル上でカーリング競技を行うことができるカーリングゲーム装置であって、本体１、前記本体１の上部に四角形状で設けられたカーリングテーブル１００、剛体として正球面の形態で形成されて前記カーリングテーブル１００上で移動するカーリングボール１０を含み、前記カーリングテーブル１００は本体１の上端の底面及び周りに沿って設けられた床板台２、前記床板台２の内側に設けられた複数のクッション台３、前記床板台２の表面に水平に設けられた床板表面部４を含み、前記床板表面部４には前記カーリングボール１０を打球するための少なくても一つ以上の打球ライン４ａと、前記カーリングボール１０が前記打球ライン４ａから打撃によって出発して移動し、到逹するための少なくても一つ以上の標的６が設けられ、前記標的６は複数の円の重なり、または複数の多角形の重なりによって形成され、前記打球ライン４ａで打撃された前記カーリングボール１０の打撃点１０Ｃが重心と回転機軸になって回転しながら前記クッション台３によって反射され、前記標的６まで移動することによって前記カーリングボール１０の移動距離が前記カーリングテーブル１００の長さよりもっと長い移動距離を移動することを特徴とする。
【００２５】
また、本発明によるカーリングゲーム装置において、前記クッション台３で床板表面部４の中央部分まで延ばして設けられた中間クッション台５をさらに含み、前記中間クッション台５の両面はクッション機能を備えたことを特徴とする。
また、本発明によるカーリングゲーム装置において、前記カーリングテーブル１００は「┐」の字型からなることを特徴とする。
また、本発明によるカーリングゲーム装置において、前記標的６は前クッション台３ｂと後クッション台３ｄの間に設けられ、前記打球ライン４ａは前記標的６と後クッション台３ｄの間に設けられることを特徴とする。
また、本発明によるカーリングゲーム装置において、前記カーリングテーブル１００の大きさは前記カーリングテーブル１００の幅と長さの割合が１：４未満で、前記幅に対して前記打球ライン４ａから前記複数のクッション台３を経て前記標的６へ移動するカーリングボール１０の総移動距離の割合が１：６以上１：１０未満となることを特徴とする。
また、本発明によるカーリングゲーム装置において、前記標的６は標的投光装置６０１によって形成され、前記標的投光装置６０１は、光源６０２、前記光源６０２の下端に備えられた集光レンズ６０３、前記集光レンズ６０３によって集光された光が透過して前記標的６のような形状で標的形状板６０４、前記標的形状板６０４を透過した光の焦点距離を調整する投射レンズ６０５を含むことを特徴とする。
また、本発明によるカーリングゲーム装置において、前記標的６の中心には前記カーリングボール１０が引込む標的ホール６ａが備えられたことを特徴とする。
【発明の効果】
【００２６】
上述したように、本発明によるカーリングゲーム装置によれば、国際カーリング競技場の規格である長さ４２．０７〜４５．７２ｍ、幅４．７２〜５ｍの氷上カーリング競技場（以下、「氷上競技場」という）の規格と全ての競技要素を比例して縮め、本体の上部に四角形状で備えられたカーリングテーブルと剛体として正球面の形態で形成され、前記カーリングテーブル上で移動するカーリングボールを備え、カーリングテーブル上で実際カーリング競技と同一な競技ができるという効果が得られる。すなわち、カーリングテーブルの総移動距離、カーリングボールの大きさ、標的の大きさの縮小割合を１／４以上１／８未満で比例構成することで、既存のカーリング競技の効果をそのまま得ることができる。
【００２７】
また、本発明によるカーリングゲーム装置によれば、カーリングテーブルの大きさは氷上カーリング場に比べて縮小割合を面積比１／１６〜１／６４で縮小することで様々な室内に複数設備が可能となる。カーリングテーブルの幅と長さは１：４未満で構成することで様々な形態の室内でカーリングテーブルを複数設置することができ、経済的効率性を達成できるという効果が得られる。
【００２８】
また、本発明によるカーリングゲーム装置によれば、カーリングテーブル幅の中心に中間クッション台を備えて少なくとも２面以上構成し、カーリングボールの打球ラインと標的の位置を可変してカーリングテーブルの幅とカーリングボールの総移動距離の割合は最大１：１０まで延ばしたので、長さが短いテーブル構造で構成することができ、室内空間に複数個を設置することができ、既存のカーリング競技のような移動距離が長いカーリングテーブルの効果を設けると同時に、多角的で様々な攻撃と守備方法を実現することができる効果が得られる。
【００２９】
また、本発明によるカーリングゲーム装置によれば、剛体で構成したカーリングボールが重心の並進運動と、重心を機軸とする回転運動の和と加速度と全体を回す力に比例する回転運動をさせることで、様々な攻撃と守備と様々な移動方法を駆使することができる効果も得られる。
【００３０】
また、本発明によるカーリングゲーム装置によれば、カーリングテーブルの周辺クッション台の構成をウレタン、ゴムのような構造で構成し、カーリングボールの高さの４０％以上９０％未満の高さで一部のみ触れるように三角形の頂角で形成したクッション台を設けることによってカーリングボールの回転運動を維持させ、様々な角度のクッションを利用した入射角と反射角で標的に移動させることで、様々な攻撃と守備方法が可能となる効果も得られる。
【００３１】
また、本発明によるカーリングゲーム装置によれば、カーリングテーブル表面の織造自体を標的と形状化したり、投映機で標的形状を投映する構造で標的を設けるので、標的の上でもカーリングボールが均一に移動し続ける効果も得られる。
【図面の簡単な説明】
【００３２】
【図１】本発明の実施例１によるカーリングゲーム装置の基本構成を説明するための斜視図。
【図２】図１に図示されたカーリングテーブルの部分断面図。
【図３】図１に図示されたクッション台の高さとカーリングボールの状態を説明するための部分斜視図。
【図４】本発明によるカーリングゲーム装置のカーリングテーブルでカーリングボールの移動経路及びカーリングゲームの運営過程を説明するための図面。
【図５】本発明によるカーリングゲーム装置でカーリングボールの打撃方向によるカーリングボールの移動過程を説明するための図面。
【図６】本発明の実施例２によるカーリングゲーム装置の基本構成を説明するための斜視図。
【図７】本発明の実施例３によるカーリングゲーム装置の基本構成を説明するための斜視図。
【図８】本発明の実施例４によるカーリングゲーム装置での標的投光器の構成図。
【図９】図８に図示された標的投光器の使用状態図。
【発明を実施するための最良の形態】
【００３３】
本発明の前記及びその他の目的と新しい特徴は、本明細書の技術及び添付図面によってより明確になる。
【００３４】
本発明は、本出願の明細書や請求範囲に使われた用語や単語は通常的や辞書的意味に限定されない。また、本明細書で提示される寸法は具体的効果を示すためのものであり、効率的な運動競技の規定を提示して理解しやすくするためのものに過ぎず、寸法を限定したり制限するものではない。
【００３５】
本発明によるカーリングゲーム装置は、一般的な氷上カーリング競技場（以下、氷上競技場という）の国際規格を基準として全ての競技構成要素に比例して同じ割合で構成した。
【００３６】
すなわち、カーリングテーブルの構成は本体の上部に床板台が設けられたカーリングテーブルで構成し、様々な形態の室内に設置できるように幅と長さの割合は最小１：２、最大１：４未満で設ける。
【００３７】
また、カーリングテーブルの打球ラインで出発したカーリングボールがクッション台のクッションを経て標的まで移動するカーリングボールの総移動距離と幅の割合は１：６以上１：１０未満となるよう、中間クッション台及び周辺クッション台を少なくとも２面以上最大６面未満で構成する。
【００３８】
このようなクッション台の構成は、ウレタン、ゴムのような構造で構成し、カーリングボールの高さとカーリングボールの直径に対して４０％以上９０％未満の高さで三角形の頂角が表面に突出されるように構成する。
【００３９】
また、カーリングボールの構造は剛体で構成して完全にボールの形態である球状で構成し、移動方法は打球ラインでキューを利用してカーリングボールの一点を打撃点として様々な角度で回転するように打撃する方法で備える。
【００４０】
カーリングボールの打球ラインとハウス（以下、「標的」という）の位置は、カーリングボールがカーリングテーブルの幅と総移動距離の割合１：９を基準にして１：６以上１：１０未満で移動できるよう、各々の位置と形態を調整して構成する。
【００４１】
以下、本発明による実施例を図面によって説明する。
［第１実施例］
本発明によるカーリングゲーム装置の第１実施例の構成に対して図１ないし図３によって説明する。
図１は本発明の実施例１によるカーリングゲーム装置の基本構成を説明するための斜視図で、図２は図１に図示されたカーリングテーブルの部分断面図であ、図３は図１に図示されたクッション台の高さとカーリングボールの状態を説明するための部分斜視図である。
【００４２】
本発明の実施例１によるカーリングゲーム装置は、図１に図示されたように、本体１、本体１の上部に設けられたカーリングテーブル１００、剛体として正球面形態で形成され、前記カーリングテーブル１００上で移動するカーリングボール１０を含む。
【００４３】
前記カーリングテーブル１００は、図１に図示されたように、本体１上にほぼ長方形で設けられ、カーリング競技の特性を維持できるように横縦の割合を決め、室内に設置することを考慮して最小サイズに最大移動距離を持つように構成する。
【００４４】
このようなカーリングテーブル１００は、図１及び図３に図示されたように、本体１の上端の底面及び周りに沿って四角形状に設けられた床板台２、前記床板台２の内側に設けられたクッション台３、前記床板台２の表面に水平に設けられた床板表面部４、前記クッション台３から床板表面部４の中央部分まで延ばして設けられた中間クッション台５を含んで構成されることができる。このような中間クッション台５の両面はクッション機能を取り備えている。
【００４５】
前記床板台２は、図２及び図３に図示されたように、本体１に床板台を固定する支持枠と数枚の石板が積層されて構成されてもよく、前記床板台２の下部には湿度を調節するための熱線からなる電熱板４ｃが装着されることができる。
【００４６】
前記クッション台３は、図３に図示されたように、床板台２の表面と同一平面をなし、床板表面部４に対して約４５度で傾くように装着され、カーリングボール１０との接触が最小化される接触面を備える。このようなクッション台３は床板表面部４の周辺に少なくとも２面以上６面で設けられる。
【００４７】
すなわち、本発明によるカーリングゲーム装置のクッション台３と中間クッション台５は、前後左右４ヶ所のクッション部分と、左右両方または一方に設けられた中間クッション部を含むことができる。
【００４８】
前記床板表面部４は、平坦度を備えたステンレス、アルミニウムなどの金属や堅固な表面を持つ石材、プラスチック素材、ウレタン素材で構成する。また、上述した金属または素材上には堅固性があり、剛体からなるカーリングボール１０の摩擦力を最小化して移動できる羅紗紙、極細糸などで覆う構造である。
【００４９】
すなわち、例えば羅紗紙の場合、ウール（ｗｏｏｌ）成分とナイロンまたはポリエステル成分が適切に混合された羅紗紙など毛羽立ちが起きない繊維または板材で構成してカーリングボール１０が移動しやすくしなければならない。
【００５０】
共通的に床板表面部４の素材は摩耗性が良くて剛体性格を有するカーリングボール１０が持続的に均一に回転移動できる素材にする。床板表面部４の下部には図３に図示されたように、石板のように堅固な床板台２が設けられ、この床板台の下部には電熱板４ｃのような水分除去装置を選択的に備えることができる。
【００５１】
前記中間クッション台５は図１に図示されたように、床板表面部４の幅の中心に設けられ、床板表面部４の幅を左右２分割した幅で構成される。
【００５２】
このような中間クッション台５の長さは、床板台２の長さを基準にして所定長さで設けられ、中間クッション台５によって床板表面部４の一部分が左右に分割された構造で設けられ、中間クッション台５の上部は相互開通されるように構成する。
【００５３】
上述した中間クッション台５の左右両面または一面は、それぞれクッション台３と同じ機能を持つ。ご参考までに、前記中間クッション台５の長さを床板表面部４長さの３０％未満にする場合、クッション反射角度に制限があり、７０％以上にする場合、カーリングボール１０の左側床板表面部４から右側床板表面部４に移動する入射角と反射角に制限がある。
【００５４】
また、床板表面部４の上には図１に図示されたように、カーリングボール１０を打って移動させる打球ライン４ａと、打球されたカーリングボール１０が移動して到逹する標的６が設けられる。一例として、中間クッション台５を基準にして図１に図示されたカーリングテーブル１００の右側には打球ライン４ａが設けられ、左側には標的６が設けられる。
【００５５】
前記標的６の形状は、図１のように複数の円を重ねたり、または複数の三角形、四角形などの多角形を重ねて表示することで標的６の中心位置を基準にしてカーリングボール１０の位置を測定できるようにする。
【００５６】
一方、本発明によるカーリングゲーム装置では、床板表面部４に設けられた標的６の下部、すなわち標的６とクッション台３の間に、図１に図示されたように、ボールガイド溝７が設けられ、このボールガイド溝７によって案内されたカーリングボール１０をカーリングテーブル１００で引き出すためのボール排出口８、ボール排出口８で排出されたカーリングボール１０を収納するためのカーリングボール収納部９を設けることができる。
【００５７】
前記ボール排出口８は、図１に図示されたように、ボールガイド溝７が設けられた部分に接したクッション台３の角部に設けられ、カーリングボール収納部９と連通されるように設けられることができる。また、カーリングボール収納部９はカーリングゲームをする２チームによって図１に図示されたように、カーリングテーブル１０の下部２ヶ所に設けられることができる。
【００５８】
前記カーリングボール１０は、カーリングゲームをする２チームによって互いに異なる色で設けられ、ゲームの規則によって４つ以上設けられることができる。
【００５９】
また、本発明によるカーリングゲーム装置に適用されるカーリングテーブル１０の規格及び構造と運営方式について図４及び図５に基づいて説明する。
図４は本発明によるカーリングゲーム装置において、カーリングテーブルでカーリングボールの移動経路及びカーリングゲームの運営過程を説明するための図面であって、図４の（ａ）は打球ライン４ａが標的６に接して設けられた構造を示し、図４の（ｂ）は打球ライン４ａが標的６の対角線部分に設けられた構造を示す。図５は、本発明によるカーリングゲーム装置において、カーリングボールの打撃方向によるカーリングボールの移動過程を説明するための図面である。
【００６０】
本発明によるカーリングゲーム装置のカーリングテーブルで移動距離とは、カーリングボール１０が打球ライン４ａで出発して複数のクッション台３で重複反射して標的６まで移動して至る距離を意味する。また、クッション台３は図４の（ａ）及び（ｂ）に図示されたように、前後左右のクッション台３ｂ、３ｄ、３ａ、３ｃを含む。
【００６１】
また、移動距離の割合とは、カーリングテーブル１００の幅、またはカーリングテーブル１００の幅が左右に分割された幅Ｂ１を基準にして前記総移動距離の割合を意味する。
【００６２】
カーリング競技の特性上、カーリングボール１０の総移動距離はカーリングテーブル１００の幅と全体長さの割合を基準にして少なくとも１：６以上１：１０の間になるように構成する。
【００６３】
総移動距離を１：６未満で設けると、カーリングゲームの難易度が下がって楽しさが半減し、１：１０以上にすると過度なカーリングテーブル１００サイズをもたらして設置台数が限定されるので、室内での設置に相応しくなくなる。
【００６４】
このような目的を達成するために、クッション台３の位置、標的６の位置及び打球ライン４ａの位置は効率的位置に調整して設けることができる。
【００６５】
例えば、図１に図示されたカーリングテーブル１００の幅を０．６ｍ以上、２ｍ未満とし、カーリングテーブル１００の長さは２ｍ以上４ｍ未満とするが、カーリングテーブル１００の幅と長さの割合は１：４の割合を超えないようにする。
【００６６】
上述したカーリングテーブル１００の幅が０．６ｍ未満の場合は、中間クッション台５によって分割される床板表面部４の幅Ｂ１が０．３ｍ未満になってゲームするに不便であり、カーリングテーブル１００の長さが２ｍ未満であればカーリングボール１０の移動距離が短くなり、４ｍ以上である時はカーリングテーブル１００が大き過ぎて室内での設置に制限があるので経済性が低下する。
【００６７】
図４の（ｂ）に図示されたように、後クッション台３ｄ前端に位置した打球ライン４ａで打撃によって前クッション台３ｂ方向へとラインｂのような経路でカーリングボール１０が移動するようにゲーム方式を運営すれば、カーリングボール１０は前クッション台３ｂで反射し、また後クッション台３ｄで反射した後で標的６へと入射する。よって、このような移動コースはカーリングテーブル１００が持つ長さＡを３回往復する効果がある。
【００６８】
すなわち、カーリングテーブル１００の長さＡに対して３Ａの移動距離を持つようになり、この場合、カーリングテーブル１００の幅と長さの割合を１：１．５で構成した後、カーリングテーブル１００の中間クッション台５を備えて幅を２分割すれば０．５：１．５＝１：３になる。
【００６９】
このような１：３の割合に前記３倍（３Ａ）の移動距離を合算すれば、カーリングテーブル１００の総移動距離は１：９となる。すなわち、幅と長さの割合が１：１．５の小さいカーリングテーブル１００で移動距離は１：９になる。
【００７０】
図１及び図４のように構成されたカーリングテーブル１００が持つカーリングボール１０の総移動距離は、例えば、カーリングテーブル１００の長さＡを３．５ｍ、幅を１．５ｍで、幅の中心に中間クッション台５を設ける場合、カーリングテーブル１００の長さＡ＝３．５ｍとなり、カーリングボール１０がクッション台３によって反射往復移動するので、移動距離はＡ＋Ａ＝２Ａ＝７ｍとなる。
【００７１】
すなわち、中間クッション台５によって左右に床板表面部４が分割された各々の幅Ｂ１＝０．７５ｍ：総移動距離２Ａ＝７ｍとなり、Ｂ１：２Ａの割合は約１：９となり、これは既存の氷上カーリングシーツの１：９の割合と同一である。
【００７２】
すなわち、カーリングテーブル１００の幅と長さは１：２．４であるが、本発明によるカーリングゲーム装置の運営方式による移動距離は１：９になるので、長さが短い長方形のカーリングテーブル１００の構造を設けても小さい室内空間でも設置可能で、テーブルの移動距離効果は長さが幅に比べて９倍以上長いテーブルを設置することと同じ効果を得られる。
【００７３】
このような構成は、氷上カーリング場でカーリングストーンが移動する総移動距離４５．７２ｍがカーリングテーブル１００で総移動距離７ｍに縮まったものなので、約１／６．５に縮小さらたものである。
【００７４】
よって、本発明では前記カーリングテーブル１００の上に構成される全ての競技要素の縮小割合は１／６．５を基準にして１／４以上１／８未満の割合で勧める。すなわち、１／４以下の時はカーリングテーブル１００の大きさが大き過ぎて、１／８以上の時はカーリングテーブル１００の大きさが小くなって、その分様々な攻撃と守備方法に制限がある。
【００７５】
標的６の構成も従来の氷上カーリング標的の１／４〜１／８に比例して縮小して設ける。例えば、既存カーリング氷上の標的６の直径が３．６５８ｍであれば、縮小した割合を１／４にする場合０．９１５ｍとなり、１／８に縮小すれば０．４５ｍとなる。すなわち、本発明に適用される比例縮小された標的６の大きさは最大０．９１５ｍから最小０．４５ｍとなる。
【００７６】
したがって、本発明のカーリングテーブル１００の幅も最小０．４５ｍ以上最大１ｍ未満を勧め、中間クッション台５によって２分割する場合は全体幅を２ｍ未満で構成する。
【００７７】
一方、中間クッション台５を含む全てのクッション台３の構成は、シリコーン、ゴム、ウレタンのように弾力がよくて弾性がある素材で構成する。
【００７８】
本発明において、クッション台３の範囲は図４に図示されたように、左右前後クッション台３ａ、３ｂ、３ｃ、３ｄ及び中間クッション台５の全てを含む。
【００７９】
このようなクッション台３の高さは限定しないが、カーリングボール１０が外部へ離脱しない高さでクッション作用が最大化する高さ、つまり、カーリングボール１０の直径を基準にして４０％以上９０％未満の高さにする。また、外部へ露出された頂角の形態は３角形または４角形、５角形の中で一つの形態で構成し、その中で一面が角を成す頂角の形態でカーリングテーブル１００の内部に向かって露出するように設けられ、前記頂角にカーリングボール１０が触れるようにすることで摩擦を最小化し、弾力を最大化することでカーリングボール１０の回転力と回転方向を最大限に維持させる。
【００８０】
例えば、カーリングボール１０の直径が６０ｍｍであれば、クッション台３の頂角の高さは２４ｍｍ以上５４ｍｍの間に設けてクッション台３での反射作用が円滑になるようにする。
【００８１】
図３に図示されたように、カーリングボール１０は正球面の形態で構成するが、材質は剛体で構成する。正球面とは、球の形態が完全な円形の均一なボール形態を意味する。剛体とは、外部から力を受けてもその大きさと模様が変わらない固体の性格をいう。例えば、ストーン、象牙、合成プラスチック、金属などの材質で構成され、外部から加えられる力に対して変形しない材質を意味する。
【００８２】
このようなカーリングボール１０の大きさは、氷上用カーリングストーンの直径が約２９．９１ｃｍなので、上述したテーブルの縮小の割合１／４〜１／８の割合に適用すれば、本発明に適用されるカーリングボール１０の直径は３ｃｍ以上８ｃｍ未満となる。
【００８３】
カーリングボール１０の直径が３ｃｍ未満の場合は、打撃時のカーリングボール１０の回転スピンなど技術的攻撃の手段となる打撃点１０Ｃの面積が小さくて限界があり、８ｃｍ以上に設けられると標的６の大きさに比べてカーリングボール１０が大き過ぎて、複数のカーリングボール１０が標的６に集まる時、標的６が狭くて競技運営に物理的制約が生じる。
【００８４】
本発明によるカーリングボール１０は、上述したように剛体で構成され、完全球の形態で構成されるので、カーリングボール１０の打撃点１０Ｃが回転機軸になって重心の並進運動と重心を機軸とする回転運動の和で移動する。
【００８５】
すなわち、図４の（ａ）のように、打球ライン４ａのａ位置でカーリングボール１０を打球する場合、先ず、左クッション台３ａで反射してから後クッション台３ｄで反射し、また右クッション台３ｃで反射して中間クッション台５で再反射した後、標的６へ進入するようになる。
【００８６】
図４の（ｂ）のように、打球ライン４ａを後クッション台３ｄの前に設け、カーリングボール１０を打球する場合、ａラインのように前クッション台３ｂで反射した後、中間クッション台３で反射した後、左クッション台３ａで反射し、後クッション台３ｄに入射して反射した後、右クッション台３ｃで再び反射し、中間クッション台５に反射した後で標的６へ入射する。また、ラインｂのような経路でカーリングボール１０が移動する場合、前クッション台３ｂ、後クッション台３ｄを経由して標的６へ直接入射する経路を選ぶことができる。
【００８７】
このように、本発明によるカーリングゲーム装置でゲーム運営方法による攻撃の例は、攻撃者が攻撃する時上述したように様々な経路、打撃する力の調整、回転角の調整、クッション台の反射角利用など状況に応じて様々な攻撃と守備方法が駆使される。
【００８８】
前記カーリングテーブル１００は、図４の（ａ）と図４の（ｂ）のような位置に位置した打球ライン４ａを図４の（ｂ）のように一つのカーリングテーブル１００の床板台２表面上の両方向に２個を備え、必要な競技方法を選択するように構成することもできる。
【００８９】
このような剛体ボール状のカーリングボール１０は、図５の（ｂ）から図５の（ｊ）に至るまで、上下３６０度、左右３６０度、対角線３６０度など様々な角度と位置の中で、ある一点が打撃点１０Ｃとなり、このような打撃点１０Ｃを機軸にする回転運動ができるようにする。このような剛体ボール（球）形態のカーリングボール１０は、図５の（ｊ）のように上下３６０度、左右３６０度、対角線３６０度など様々な角度で重心の並進運動と、重心を機軸にする回転運動できるようにする。これをより詳しく説明する。
【００９０】
打球ライン４ａで打撃する打撃手段は、キュー（未表示）のような道具でカーリングボール１０の一点を打撃点１０Ｃとして打撃する方式により、剛体のカーリングボール１０を様々な角度で回転させる。このようなキュー（未表示）の材質は強度が高い木、または釣竿の材質のような合成プラスチックで構成することができる。
【００９１】
すなわち、図４の（ａ）及び図４の（ｂ）に図示されたような打球ライン４ａで打撃されたカーリングボール１０は、前記打撃点１０Ｃを機軸にして様々な角度の回転運動をしながら移動するが、このようなカーリングボール１０の回転運動の重心はキュー（未表示）でカーリングボール１０を打撃する打撃点１０Ｃが重心となる。
【００９２】
よって、前記重心の回転角とクッション台３の様々な反射角度による回転運動が可能となる。
すなわち、図５の（ａ）のように標的６の中心に相手のカーリングボール１０がある場合、攻撃者のカーリングボール１０ａで適当な力とクッション台３の反射角を利用して重心の並進運動と重心を機軸にする回転運動の和と加速度で相手のカーリングボール１０をはじき出し、攻撃者のカーリングボール１０を得点優先順位の高い標的６の中心に最も近づかせる、いわゆるテイクアウト（Ｔａｋｅ  ｏｕｔ）攻撃方法を駆使することができる。
【００９３】
また、ドロー（Ｄｒｏｗ）攻撃の時、攻撃者がカーリングボール１０ａを強く打撃してスタートする時、攻撃者のカーリングボール１０ａも標的６の中心に位置せずはじき出され、場合によっては相手のカーリングボール１０がクッション台３にぶつかって再び標的６に入ってくるなど、様々なドロー及びテイクアウト攻撃が可能なので、面白いスポーツゲームになれる。
【００９４】
相手の移動を邪魔するために、戦略的に位置した相手のカーリングボール１０を連鎖打撃して相手のカーリングボール１０をはじき出すこともできる。
【００９５】
これを図５の（ｊ）のように、説明の便宜上、カーリングボール１０の正面を基準にして全体３６０度で時計回りに左側３時方向を９０゜にし、６時方向の下端の中心を１８０゜、９時方向の右側の中心を２７０゜にし、１２時方向の上端の中心を３６０゜（または０゜にし、このような角度は１度から３６０度まで各攻撃者の意図したままキュー（未表示）を利用して微細で様々な角度で打撃するようになる。
【００９６】
例えば、図５の（ｂ）のように、カーリングボール１０中心の上端０度（３６０度）方向に打撃を加える時、カーリングボール１０は０度の傾斜角で前の方向に回転するようになる。
【００９７】
このようなカーリングボール１０は、例えば標的６中心の前を塞いでいる相手のカーリングボール１０ａを打撃してはじき出しながら、攻撃者のカーリングボール１０は質量運動の加速力で前の方向に進めて、標的６の中心に位置させることができる。つまり、前を塞ぐ相手のカーリングボール１０ａは押し出すと同時に、加速力によって進めて所望の位置に到逹できるようにする。
【００９８】
図５の（ｃ）のように、相手のカーリングボール１０ａが標的６の中心より後端にある場合、攻撃者のカーリングボール１０の打撃点１０Ｃを１８０゜方向の下端に打撃すれば、カーリングボール１０の質量運動が下から上の方向へと回転しながら前の方向に移動するので、相手のカーリングボール１０ａを押し出して攻撃者のカーリングボール１０はその場に停止したり後進する。
【００９９】
また、図５の（ｄ）のように相手のカーリングボール１０ａが標的６の中心より左側で標的６の中心を塞いでいる時、攻撃者はカーリングボール１０の打撃点を時計回りを基準にして３１０゜方向に打撃する場合、３１０゜の角度で前の方向に回転しながら、相手のカーリングボール１０ａを標的６の中心を基準にして３１０゜方向に押し出し、攻撃者のカーリングボール１０ａは９０゜直角で右方向に進めるようになる。
【０１００】
また、図５の（ｅ）のように、標的６の中心を基準にして１００゜方向に相手のカーリングボール１０ａがある場合、攻撃者のカーリングボール１０は１００度角度で回転しながら相手のカーリングボール１０ａを打撃してはじき出し、攻撃者のカーリングボール１０は標的６の中心に位置する。
【０１０１】
一方、図５の（ｆ）のように、相手の第１カーリングボール１０ａと第２カーリングボール１０ｂの２つがある場合は、第１カーリングボール１０ａの厚さと攻撃者のカーリングボール１０の打撃点１０ｃを２９０゜前後地点を打撃して相手の第１、第２カーリングボール１０ａ、１０ｂを押し出し、攻撃者のカーリングボール１０を所望の位置で止めることができる。
【０１０２】
図５の（ｇ）は前記図３の（ｆ）のような論理で打撃点が反対方向である。ただし、相手の第１、第２カーリングボール１０ａ、１０ｂが図５の（ｆ）に対して反対方向にある。
【０１０３】
また、図５の（ｈ）のようにクッション台３を利用する場合、打撃点１０Ｃを０゜〜９０゜と０゜と１８０゜の間で打撃する場合、カーリングボール１０の反射角は大きい。
【０１０４】
また、図５の（ｉ）のように２７０゜〜３６０゜の間で打撃点１０Ｃに打撃する場合、その反射角は小さいが、１８０゜〜２７０゜の間で打撃点１０Ｃに打撃する場合、その反射角は大きくなる。
【０１０５】
このような反射クッション作用を適切に加減して所望の方式の攻撃と守備ができるようになる。
【０１０６】
図５に図示されたように、カーリングボール１０に対してキュー（未表示）のような道具を利用して、ある特定部分を打撃する場合、打撃された打撃点が加速度の力と剛体が持つ重心の回転機軸になるし、回転運動が微細に１゜から３６０゜まで重心を機軸にする回転運動をさせることができる。
【０１０７】
すなわち、攻撃者はカーリングボール１０ａの打撃点１０Ｃを０゜と３５９゜の間で適正な力と適正な角度で打撃すればよい。
【０１０８】
打撃する力の強度を調整すれば、回転速度と加速度と全体を回す力を調整できるようになる。
【０１０９】
前記のような競技方式は理解しやすくするための説明であって、攻撃者のカーリングボール１０が相手のカーリングボール１０ａを打撃する厚さ、打撃する回転角も、打撃する力によって可変されるので、カーリングテーブル１００の上で多様で高度の攻撃と防御技術が創出されるカーリングゲームが可能となる。
【０１１０】
本発明によるカーリングゲーム装置において、カーリングテーブル１００に対するカーリング競技規則は氷上カーリング競技の規則を適用したが、これに限定されずに多様に運営することができる。
【０１１１】
つまり、１：１のゲームも可能であり、または複数の人がチームを組んだ後、先攻、後攻を決めて交互に攻撃権を持つ方式も可能である。
【０１１２】
つまり、標的６内の中心を基準にして最も近い位置に接した最終カーリングボール１０が得点する規則で運営することができる。
【０１１３】
前記のように、本発明の諸構成要素が有機的に相互作用して様々な角度の回転によってカーリング競技の特徴であるドロー攻撃、テイクアウト攻撃はもとより、従来のカーリング競技に比べて様々な攻撃技術と防御技術による競技運営と様々な競技ができる。
【０１１４】
したがって、本発明は前記のようにその構成と競技形態が既存の得点を中心とする室内記録競技とも相違であり、クッションによる様々な攻撃と防御によるカーリング競技は既存のカーリング競技とも異なる。すなわち、本発明は様々な攻撃技法と守備技法を創意的に駆使することができる新しい室内カーリング競技装置を設けたのである。
【０１１５】
［第２実施例］
本発明によるカーリングゲーム装置の第２実施例の構成について図６に基づいて説明する。また、第２実施例において、第１実施例と同一部分には同一符号を付与し、その反復的な説明は省略する。
【０１１６】
図６は、本発明の実施例２によるカーリングゲーム装置の基本構成を説明するための斜視図である。
本発明によるカーリングゲーム装置の第２実施例は、図６に図示されたように、カーリングテーブル１００が「┐」の字型からなるものである。すなわち、床板台２を水平方向に「┐」の字型に設けて、これによって床板表面部４「┐」の字型に設けられ、床板表面部４の周りに２個の「┐」の字型にクッション台３が設けられる。よって、クッション台３は図６に図示されたように、３ａ、３ｂ、３ｄ、３ｅ、３ｃの順に設けられる。
【０１１７】
また、クッション台３の前端には、図６に図示されたように、打球ライン４ａが設けられ、「┐」の字型のクッション台３の後端には標的６が設けられる。
【０１１８】
したがって、本発明の第２実施例によるカーリングゲーム装置の運営方式では、カーリングボール１０が図６のように複数のクッション台３ａ、３ｂ、３ｄ、３ｅ、３ｃを経て標的６に入射するので、小さいカーリングテーブル１００で移動距離が３倍以上増えるようになる。
【０１１９】
［第３実施例］
本発明によるカーリングゲーム装置の第３実施例の構成について図７に基づいて説明する。また、第３実施例において、第１実施例と同一部分には同一符号を付与し、その反復的な説明は省略する。
【０１２０】
図７は、本発明の実施例３によるカーリングゲーム装置の基本構成を説明するための斜視図である。
本発明によるカーリングゲーム装置の第３実施例は、図７に図示されたように、カーリングテーブル１００の幅と長さの割合を１：４以内にするが、本発明の第３実施例によるカーリングゲーム装置の運営方式では、カーリングボール１０の総移動距離が前後クッション台３ｂ、３ｄによってＡ距離を往復し、後面の後クッション３ｄによってＤの分再び反射されて標的６に入射するようになるので、総移動距離は２〜３倍に増える構造である。
【０１２１】
すなわち、図７のように標的６の位置を前後クッション台３ｂ、３ｄの間に設け、打球ライン４ａは前記標的６と後クッション台３ｄの間で競技者の位置の前に設ける。また、前記クッション台３は、前後左右クッション台３ｂ、３ｄ、３ａ、３ｃで構成する。
【０１２２】
すなわち、前記標的６の位置を前クッション台３ｂと後クッション台３ｄの間に設け、図７のようにＤの間隔を延ばす方法で構成することもできる。
【０１２３】
この場合、打球ライン４ａで出発したカーリングボール１０は前クッション台３ｂで反射し、再び後クッション台３ｄで反射した後、Ｄ位置にある標的６へ入射する。
【０１２４】
この時のカーリングボール１０の総移動距離は、カーリングテーブルの長さＡに対してＡ＋Ａ＋Ｄになるので、Ａの２．５倍になる。
【０１２５】
これはカーリングテーブル１００の幅と長さの割合１：４で前記総移動距離Ａ＋Ａ＋Ｄ＝２．５Ａを合算すれば、約１：１０の移動距離が形成される。
【０１２６】
例えば、ｂ位置で打球したカーリングボール１０は、前クッション台３ｂで反射した後、左クッション台３ａで再反射し、また後クッション台３ｄで反射して標的６へ入射するように運営される。
【０１２７】
このようなカーリングボール１０の移動距離は、カーリングテーブル１００の長さであるＡに対して２〜２．５倍に至る。よって、カーリングテーブル１００の幅と長さの割合１：４に鑑みれば、カーリングボール１０の移動距離は約１：８〜１：１０の割合になるので、標準移動距離１：５〜１：１０の割合と符合し、既存のカーリングストーン競技場の幅 ：長さの割合である１：９割合と符合する。
【０１２８】
［第４実施例］
本発明によるカーリングゲーム装置の第４実施例の構成について図８及び図９に基づいて説明する。また、第４実施例において、第１実施例と同一部分には同一符号を付与し、その反復的な説明は省略する。
【０１２９】
図８は本発明の実施例４によるカーリングゲーム装置における標的投光器の構成図で、図９は図８に図示された標的投光器の使用状態図である。
【０１３０】
前記第１ないし第３実施例において、標的６の形状はカーリングテーブル１００の床板表面部４に印刷方法など様々な方法で表示する構造を適用した。
【０１３１】
しかし、本発明の実施例４によるカーリングゲーム装置では、カーリングボール１０が移動するために障害のない精密な表面と均一性を得るための方法であって、図８に図示されたような標的投光装置６０１を構成してカーリングテーブル１００の表面に映写する構成を設けることもできる。
【０１３２】
図８に図示されたように、本発明の第４実施例による標的投光装置６０１は上端部の上からＬＥＤランプ等のような光源６０２、前記光源６０２の下端に設けられた集光レンズ６０３、集光レンズ６０３によって集められた光が透過して標的６のように円形が重なった標的が形成された標的形状板６０４、標的形状板６０４を透過した光の焦点距離を調整する投射レンズ６０５を含む。
【０１３３】
このような標的投光装置６０１の構成は、光源６０２と標的形状板６０４と投射レンズ６０５が必須構成要素になる。すなわち、投射レンズ６０５が投射する標的形状板６０４の拡大サイズはＲ／Ｑになる。
【０１３４】
このような標的投光装置６０１の光源６０２は集光レンズ６０３によって集光されて標的形状板６０４を透過した後、投射レンズ６０５によってカーリングテーブル１００の床板表面部４に透写する。
【０１３５】
これは光源６０２によって形成された標的６なので、カーリングテーブル１００の床板表面部４の表面で全く均一性を阻害せず、カーリングボール１０の移動に支障を与えない。
【０１３６】
また、このような標的６は、図９のように標的６の中に標的溝６ａを形成し、その下部にボールガイド６ｂを形成して標的溝６ａへ抜けるカーリングボール１０は別途追加点数を獲得したり、逆に罰点を追加するなど様々な規定を適用することができる。
【０１３７】
また、標的６と打球ライン４ａは複数で構成、例えば、両方に備えて両方向で競技することもできる。
【０１３８】
上述したようなカーリングテーブル１００を設けたカーリング競技は、それぞれ幾つかのカーリングボール１０を順次攻撃し、最後に相手のカーリングボール１０と比べて標的に最も近いカーリングボール１０の数量によって点数が決まるので、ドロー及びテイクアウト方式の攻撃はもとより、様々なクッション角度による攻撃及び防御など、従来のカーリングとは比べ物にならない様々な技術と戦略競技が可能となる。
【０１３９】
例えば、カーリングボール１０は１回１〜４人が１チームを組んで、先攻チームの邪魔なカーリングボールをはじき出しながら１０個のカーリングボールで１０回の攻撃と防御によって標的６の中心で止めることを繰り返す時、後攻チームは通常１点、最大２〜３点を獲得する確率が多くなるので、スポーツ競技の重要要素である劇的な逆転を導き出すことができる。このような標的６の上端にはカメラを備えて大型モニターまたはスクリーンなどで得点現況を視聴することもできる。
【０１４０】
したがって、本発明によるカーリングテーブル１００の構造は、カーリングテーブル１００の上での前後３６０度の打球による重心の回転角度、様々なクッション技法と回転加速度、打撃力の調整を利用した様々な技術と戦略で室内テーブルで新しい技法のカーリングスポーツを楽しめるようになる。
【０１４１】
以上、本発明者によってなされた発明を前記実施例よって具体的に説明したが、本発明は前記実施例に限定されず、その要旨を脱しない範囲で色々と変更可能であることは勿論である。
【産業上の利用可能性】
【０１４２】
本発明によるカーリングゲーム装置を使うことによって、カーリングテーブルの上で実際のカーリング競技と同一な競技ができる。
【符号の説明】
【０１４３】
１００：カーリングテーブル
１：本体
２：床板台
３：クッション台
４：床板表面部
４ａ：打球ライン
５：中間クッション台
６：標的
７：ボールガイド溝
８：ボール排出口
１０：カーリングボール
【図１】
2021515651.tif 000003
【図２】
2021515651.tif 000004
【図３】
2021515651.tif 000005
【図４】
2021515651.tif 000006
【図５】
2021515651.tif 000007
【図６】
2021515651.tif 000008
【図７】
2021515651.tif 000009
【図８】
2021515651.tif 000010
【図９】
2021515651.tif 000011
【国際調査報告】
2021515651.tif 000012
2021515651.tif 000013
2021515651.tif 000014
2021515651.tif 000015